(57)【要約】【課題】  紙幣収納型台間機の識別部とスタッカをシングルアクションによって台間機本体から引き出して、スタッカの前方から容易に紙幣束を取り出すことができると共に、スタッカ内の紙幣収容枚数を最大限に確保しながら癖の付いた変形紙幣であっても整列性よくスタックすることができる紙幣取扱装置を提供する。【解決手段】  装着部３を備えた台間機本体２と、装着部内前部に収容され且つ装着部下部、又は上部に設けたヒンジ部によって縦方向へ回動自在に軸支され更に前端面に縦長の紙幣挿入口を備えた紙幣識別部１０と、装着部内に前後方向へ進退自在に収容され且つ紙幣識別部の奥側にあって紙幣識別部を通過してきた紙幣を収容するスタッカ３０と、制御手段と、を備えた遊技機用台間機において、紙幣識別部は、リンク機構によってスタッカと連結されることにより、紙幣識別部の開閉動作に連動してスタッカを前後方向へ進退させるように構成されている。【選択図】  図３
2006024182.tif 000002
【特許請求の範囲】
【請求項１】
装着部を備えた台間機本体と、該装着部内前部に収容され且つ装着部下部、又は上部に設けたヒンジ部によって縦方向へ回動自在に軸支され更に前端面に縦長の紙幣挿入口を備えた紙幣識別部と、前記装着部内に前後方向へ進退自在に収容され且つ前記紙幣識別部の奥側にあって該紙幣識別部を通過してきた紙幣を収容するスタッカと、制御手段と、を備えた遊技機用台間機において、
前記紙幣識別部は、リンク機構によって前記スタッカと連結されることにより、前記紙幣識別部の開閉動作に連動してスタッカを前後方向へ進退させるように構成されていることを特徴とする遊技機用台間機。
【請求項２】
装着部を備えた台間機本体と、該装着部内前部に収容され且つ装着部下部に設けたヒンジ部によって縦方向へ回動自在に軸支され更に前端面に縦長の紙幣挿入口を備えた紙幣識別部と、前記装着部内に前後方向へ進退自在に収容され且つ前記紙幣識別部の奥側にあって該紙幣識別部を通過してきた紙幣を収容するスタッカと、制御手段と、を備えた遊技機用台間機において、
前記スタッカは、前記紙幣識別部を通過してきた紙幣を前面開口から受け入れる収容空所を有したケーシングと、該ケーシングの前面開口内部に所定の上下間隔で配置され且つ回転自在な上下一対のスパイラル部材と、該２つのスパイラル部材を同期して回転駆動するモータ及びギヤ群を含んだ駆動機構と、紙幣を収容空所内の停止位置まで引き込む引き込み手段と、を備え、
前記２つのスパイラル部材は、同ピッチであり、且つ互いに逆の螺旋方向へ伸びるスパイラル羽根を備え、
前記制御手段は、前記ケーシングの前面開口から紙幣先端部が進入してきたときに該紙幣の幅方向両端縁を停止状態にある各スパイラル羽根の同一高さ位置で支持し、前記引き込み手段により該紙幣を収容空所内の停止位置に到達せしめてから、前記２つのスパイラル部材を紙幣引き込み方向へ同期して回転させることにより紙幣後部両端縁をスパイラル羽根のピッチ間に沿ってスパイラル部材の軸方向へ移動させ、各スパイラル羽根の終端部にてピッチ間から離脱した後でスパイラル羽根の終端部の端面にて紙幣を押圧するように制御することを特徴とする遊技機用台間機。
【請求項３】
装着部を備えた台間機本体と、該装着部内前部に収容され且つ該装着部下部に設けたヒンジ部によって縦方向へ回動自在に軸支され更に前端面に縦長の紙幣挿入口を備えた紙幣識別部と、前記装着部内に前後方向へ進退自在に収容され且つ前記紙幣識別部の奥側にあって該紙幣識別部を通過してきた紙幣を収容するスタッカと、制御手段と、を備えた遊技機用台間機において、
前記紙幣識別部は、リンク機構によって前記スタッカと連結されることにより、前記紙幣識別部の開閉動作に連動して該スタッカを前後方向へ進退させるように構成され、
前記スタッカは、前記紙幣識別部を通過してきた紙幣を前面開口から受け入れる収容空所を有したケーシングと、該ケーシングの前面開口内部に所定の上下間隔で配置され且つ回転自在な上下一対のスパイラル部材と、該２つのスパイラル部材を同期して回転駆動するモータ及びギヤ群を含んだ駆動機構と、紙幣を収容空所内の停止位置まで引き込む引き込み手段と、を備え、
２つのスパイラル部材は、同ピッチであり、且つ互いに逆の螺旋方向へ伸びるスパイラル羽根を備え、
前記制御手段は、前記ケーシングの前面開口から紙幣先端部が進入してきたときに該紙幣の幅方向両端縁を停止状態にある各スパイラル羽根の同一高さ位置で支持し、前記引き込み手段により該紙幣を収容空所内の停止位置に到達せしめてから、２つのスパイラル部材を紙幣引き込み方向へ同期して回転させることにより紙幣後部両端縁をスパイラル羽根のピッチ間に沿ってスパイラル部材の軸方向へ移動させ、スパイラル羽根の終端部にてピッチ間から離脱した後でスパイラル羽根の終端部の端面にて紙幣を押圧するように制御することを特徴とする遊技機用台間機。
【請求項４】
前記駆動機構は、各スパイラル部材の一端部に夫々同軸状に固定された第１及び第２のギヤと、第１及び第２のギヤ間に配置されて駆動力を伝達する第３、第４のギヤと、前記第１のギヤに噛合してモータからの駆動力を伝達する駆動ギヤとを備え、
前記第３、第４のギヤは、第１、及び第２のギヤよりも奥側に退避して配置されていることを特徴とする請求項１、２又は３に記載の遊技機用台間機。
【請求項５】
前記各スパイラル部材を構成するスパイラル羽根は、その軸方向両端部に夫々該軸方向と直交する平坦面を備えると共に、該平坦面間を傾斜面にて連設した構成を備えていることを特徴とする請求項１乃至４の何れか一項に記載の遊技機用台間機。
【請求項６】
前記スパイラル羽根の螺旋巻き数Ｘは、１．５巻≦Ｘ＜２．５巻、であることを特徴とする請求項１乃至５の何れか一項に記載の遊技機用台間機。
【請求項７】
前記軸方向両端部に位置する各平坦面のうちの前記終端部側の平坦面の中心角は、１８０度以上３４０度以内であることを特徴とする請求項１乃至６の何れか一項に記載の遊技機用台間機。
【請求項８】
前記２つのスパイラル部材を同期して回転駆動するモータは、前記引き込み手段の駆動源として共用され、該モータの回転方向の違いに応じてスパイラル部材の駆動と引き込み手段の駆動を選択的に実現可能に構成されている駆動機構を備えていることを特徴とする請求項１乃至７の何れか一項に記載の遊技機用台間機。
【請求項９】
ヒンジ部によって縦方向へ回動自在に枠体に軸支され、前端面に縦長の紙幣挿入口を備えた紙幣識別部と、該紙幣識別部を通過してきた紙幣を縦姿勢のまま収容するスタッカと、を備えた紙幣取扱装置において、
前記紙幣識別部は、リンク機構によって前記スタッカと連結されることにより、前記紙幣識別部の開閉動作に連動して該スタッカを前後方向へ進退させるように構成されていることを特徴とする紙幣取扱装置。
【請求項１０】
ヒンジ部によって縦方向へ回動自在に枠体に軸支され、前端面に縦長の紙幣挿入口を備えた紙幣識別部と、該紙幣識別部を通過してきた紙幣を縦姿勢のまま収容するスタッカと、を備えた紙幣取扱装置において、
前記スタッカは、前記紙幣識別部を通過してきた紙幣を前面開口から受け入れる収容空所を有したケーシングと、該ケーシングの前面開口内部に所定の上下間隔で配置され且つ回転自在な上下一対のスパイラル部材と、該２つのスパイラル部材を同期して回転駆動するモータ及びギヤ群を含んだ駆動機構と、紙幣を収容空所内の停止位置まで引き込む引き込み手段と、を備え、
前記２つのスパイラル部材は、同ピッチであり、且つ互いに逆の螺旋方向へ伸びるスパイラル羽根を備えていることを特徴とする請求項９に記載の紙幣取扱装置。
【請求項１１】
前記各スパイラル部材を構成するスパイラル羽根は、その軸方向両端部に夫々該軸方向と直交する平坦面を備えると共に、該平坦面間を傾斜面にて連設した構成を備えていることを特徴とする請求項９、又は１０に記載の紙幣取扱装置。
【請求項１２】
前記スパイラル羽根の螺旋巻き数Ｘは、１．５巻≦Ｘ＜２．５巻、であることを特徴とする請求項９、１０、又は１１に記載の紙幣取扱装置。
【請求項１３】
前記軸方向両端部に位置する各平坦面のうちの前記終端部側の平坦面の中心角は、１８０度以上３４０度以内であることを特徴とする請求項９、１０、１１又は１２に記載の紙幣取扱装置。
【請求項１４】
前記２つのスパイラル部材を同期して回転駆動するモータは、前記引き込み手段の駆動源として共用され、該モータの回転方向の違いに応じてスパイラル部材の駆動と引き込み手段の駆動を選択的に実現可能に構成されている駆動機構を備えていることを特徴とする請求項９乃至１３の何れか一項に記載の紙幣取扱装置。
【発明の詳細な説明】
【技術分野】
【０００１】
本発明は、パチンコホール、パチスロホール等の遊技場において、遊技台間に配置される貸球機等の台間機の改良に関し、特に各台間機に装備されて挿入された紙幣を収容する薄型の紙幣取扱装置の改良に関する。
【背景技術】
【０００２】
パチンコホール、パチスロホール等の遊技場においては、遊技台間の狭いスペース（４０〜６０ｍｍ）に遊技球や遊技メダルを貸し出すための台間機が設置される。台間機はその前面に紙幣挿入口や操作ボタンを供えており、隣接する遊技台で遊技をしようとする遊技者は、紙幣挿入口から紙幣を挿入してから操作ボタンにより操作を行うことにより、所望数量の遊技球やメダルの貸出しを受けることができる。
旧来の台間機はそれ自体には紙幣を収容する手段を備えておらず、台間機に挿入された紙幣は遊技島に配された搬送手段を用いて搬送し、紙幣を大型の収納庫に収容する大規模なシステムを採用していた。しかし、このようなシステム構成であると、搬送手段を含めた遊技島の構成が大型、複雑化し、高コスト化を招くため、この点の改善が求められていた。
これに対して最近では、個々の台間機に紙幣収容用のスタッカを備えた紙幣収納型台間機が一般化しており、スタッカが満杯になった場合には、係員がスタッカの開閉を禁止するためのロックを開錠して紙幣束を取り出す作業を適宜行っている。
紙幣収納型の台間機は、紙幣挿入口の内奥部に、受け入れた紙幣の真贋、金種を判定する紙幣識別機と、紙幣識別機により真正紙幣であるとの判定を受けた紙幣を受入れて積層収容するスタッカが順次配置され、両者は一体化されている。スタッカに収容された紙幣が満杯となった場合には、紙幣識別機とスタッカを前方へ引き出し、スタッカ内部を開放して紙幣を取り出す作業を行う必要がある。
特開２００２−９２４公報には、紙幣識別装置とスタッカを同時に台間機本体から前方へ水平方向に引き出し、スタッカの側面に設けた開口を開放して内部の紙幣束を取り出すようにした構成が開示されている。
しかし、満杯になった紙幣を取り出す作業は、隣接する遊技台で遊技者が遊戯している最中であっても実施する必要があるため、スタッカの側面に設けた開口を開放して内部の紙幣束を取出す作業を行うと、直近位置に着座している遊技者に作業者の腕や身体が接触する等、遊技の邪魔となる。また、遊技者の有無に関係なく、前方へ引き出したスタッカの側面開口から内部に収納された紙幣束を取り出す作業は繁雑であり、開口内に指を差し入れる際にギヤ類や板金によって指を怪我したり、紙幣を折り曲げたり、或いは紙幣の取り残しが発生する虞があった。このような不具合を解消するために、特開２００２−３５４０１公報、特開２００２−１６３７０３公報には、スタッカ部の前半体だけを側方に折り曲げ可能に構成することにより、側方から取出し易くした技術が開示されているが、スタッカ内における紙幣収納機構との関係で、構成が複雑化するという問題がある。
【０００３】
これに対して、特開２００２−２６３３５４公報には、紙幣識別機とスタッカとを別体構成とし、台間機本体から紙幣識別機とスタッカとを水平方向前方へ引き出し可能に構成すると共に、紙幣識別機の後部下部とスタッカの前部下部とをヒンジ部により軸支することにより、両者を引き出した状態において紙幣識別機だけを下方へ回動退避させて、スタッカ前面を開放させるように構成した装置が開示されている。開放したスタッカ前面には収納された紙幣束の端部が露出するため、前方からの作業により容易に紙幣束を取り出すことができる。
しかし、この従来例では、紙幣識別機とスタッカを一体的に水平方向前方へ引き出してから紙幣識別機だけを下方へ回動して開放する２アクションの操作をする必要があり、操作性が悪かった。
また、従来の台間機のスタッカにおいては、スタッカ内に引き入れた紙幣を紙幣受板上に積層するためにプッシャを往復動させて押し込む機構を採用しているため、プッシャの可動範囲を確保するために紙幣の収容スペースが減少し、収容枚数が少なくなるという問題があった。
特開昭５７−６７４５１号公報には、紙幣受板の紙幣積載面側に複数個の多重巻きスパイラルを回転自在に配置することによって、スタッカ内に搬送されてくる紙幣の対向する２つの端縁を各多重巻きスパイラルのピッチ間で支持し、各多重巻きスパイラルを所定方向に回転させることによって紙幣端縁をピッチに沿って順次紙幣受板上に移載するようにした紙葉類の収納装置が開示されている。これによれば、大きな可動範囲を必要とするプッシャを必要としないため、限られた幅内における紙幣の収容枚数を増大させることができる。しかし、この従来例にあっては、最低４個の多重巻きスパイラルを限られた狭いスペースのスタッカ内に配置するとともに、各多重巻きスパイラルの駆動機構をも配置する必要があるため、部品点数の増大、構造の複雑化を招く、という欠点がある。また、折れ癖、皺等の変形紙幣が進入してきた場合に、全ての多重巻きスパイラルのピッチ間に紙幣の端縁が正常に入り込むことができなくなる虞がある。また、引き入れた全ての紙幣を紙幣受板上に完全に移載した状態では、多重巻きスパイラルの終端部にて最上部の紙幣面を押圧した状態となるため、多重巻きスパイラルの軸方向長さ分だけ紙幣の収容枚数が少なくなる、という欠点がある。特に、この多重巻きスパイラルは５重巻き以上の多重巻きとすることにより、各多重巻きスパイラルによって同時に５枚以上の紙幣を保持して処理速度を増速できるよう構成されているので、多重巻きスパイラルの軸方向長が長くならざるを得ず、その分だけ紙幣受板上の紙幣積載枚数が少なくなる。
次に、特開平１１−２３２５２６号公報には、紙幣収容箱に単一のスパイラルを回転自在に配置し、収容箱内に長手方向に沿って導入されてきた紙幣の幅方向一端縁をスパイラルのピッチ間に挟んで紙幣受板上に移載してゆく構成が開示されている。
しかし、この従来例は、単一のスパイラルによって紙幣の幅方向一端縁をガイドする構成であるため、折れ癖や皺が形成された変形紙幣を紙幣受板上に整列性良く移載することが難しい。
【特許文献１】特開２００２−９２４公報
【特許文献２】特開２００２−３５４０１公報
【特許文献３】特開２００２−１６３７０３公報
【特許文献４】特開２００２−２６３３５４公報
【特許文献５】特開昭５７−６７４５１号公報
【特許文献６】特開平１１−２３２５２６号公報
【発明の開示】
【発明が解決しようとする課題】
【０００４】
本発明は上記に鑑みてなされたものであり、遊技台間に配置される貸球機等の紙幣収納型台間機の識別部とスタッカをシングルアクションによって台間機本体から引き出して、スタッカの前方から容易に紙幣束を取り出すことができると共に、スタッカ内の紙幣収容枚数を最大限に確保しながら癖の付いた変形紙幣であっても整列性よくスタックすることができる紙幣取扱装置を提供することを目的としている。
【課題を解決するための手段】
【０００５】
上記課題を解決するため、請求項１の発明に係る遊技機用台間機は、装着部を備えた台間機本体と、該装着部内前部に収容され且つ装着部下部、又は上部に設けたヒンジ部によって縦方向へ回動自在に軸支され更に前端面に縦長の紙幣挿入口を備えた紙幣識別部と、前記装着部内に前後方向へ進退自在に収容され且つ前記紙幣識別部の奥側にあって該紙幣識別部を通過してきた紙幣を収容するスタッカと、制御手段と、を備えた遊技機用台間機において、前記紙幣識別部は、リンク機構によって前記スタッカと連結されることにより、前記紙幣識別部の開閉動作に連動してスタッカを前後方向へ進退させるように構成されていることを特徴とする。
請求項２の発明に係る遊技機用台間機は、装着部を備えた台間機本体と、該装着部内前部に収容され且つ装着部下部に設けたヒンジ部によって縦方向へ回動自在に軸支され更に前端面に縦長の紙幣挿入口を備えた紙幣識別部と、前記装着部内に前後方向へ進退自在に収容され且つ前記紙幣識別部の奥側にあって該紙幣識別部を通過してきた紙幣を収容するスタッカと、制御手段と、を備えた遊技機用台間機において、前記スタッカは、前記紙幣識別部を通過してきた紙幣を前面開口から受け入れる収容空所を有したケーシングと、該ケーシングの前面開口内部に所定の上下間隔で配置され且つ回転自在な上下一対のスパイラル部材と、該２つのスパイラル部材を同期して回転駆動するモータ及びギヤ群を含んだ駆動機構と、紙幣を収容空所内の停止位置まで引き込む引き込み手段と、を備え、前記２つのスパイラル部材は、同ピッチであり、且つ互いに逆の螺旋方向へ伸びるスパイラル羽根を備え、前記制御手段は、前記ケーシングの前面開口から紙幣先端部が進入してきたときに該紙幣の幅方向両端縁を停止状態にある各スパイラル羽根の同一高さ位置で支持し、前記引き込み手段により該紙幣を収容空所内の停止位置に到達せしめてから、前記２つのスパイラル部材を紙幣引き込み方向へ同期して回転させることにより紙幣後部両端縁をスパイラル羽根のピッチ間に沿ってスパイラル部材の軸方向へ移動させ、各スパイラル羽根の終端部にてピッチ間から離脱した後でスパイラル羽根の終端部の端面にて紙幣を押圧するように制御することを特徴とする。
【０００６】
請求項３の発明に係る遊技機用台間機は、装着部を備えた台間機本体と、該装着部内前部に収容され且つ該装着部下部に設けたヒンジ部によって縦方向へ回動自在に軸支され更に前端面に縦長の紙幣挿入口を備えた紙幣識別部と、前記装着部内に前後方向へ進退自在に収容され且つ前記紙幣識別部の奥側にあって該紙幣識別部を通過してきた紙幣を収容するスタッカと、制御手段と、を備えた遊技機用台間機において、前記紙幣識別部は、リンク機構によって前記スタッカと連結されることにより、前記紙幣識別部の開閉動作に連動して該スタッカを前後方向へ進退させるように構成され、前記スタッカは、前記紙幣識別部を通過してきた紙幣を前面開口から受け入れる収容空所を有したケーシングと、該ケーシングの前面開口内部に所定の上下間隔で配置され且つ回転自在な上下一対のスパイラル部材と、該２つのスパイラル部材を同期して回転駆動するモータ及びギヤ群を含んだ駆動機構と、紙幣を収容空所内の停止位置まで引き込む引き込み手段と、を備え、２つのスパイラル部材は、同ピッチであり、且つ互いに逆の螺旋方向へ伸びるスパイラル羽根を備え、前記制御手段は、前記ケーシングの前面開口から紙幣先端部が進入してきたときに該紙幣の幅方向両端縁を停止状態にある各スパイラル羽根の同一高さ位置で支持し、前記引き込み手段により該紙幣を収容空所内の停止位置に到達せしめてから、２つのスパイラル部材を紙幣引き込み方向へ同期して回転させることにより紙幣後部両端縁をスパイラル羽根のピッチ間に沿ってスパイラル部材の軸方向へ移動させ、スパイラル羽根の終端部にてピッチ間から離脱した後でスパイラル羽根の終端部の端面にて紙幣を押圧するように制御することを特徴とする。
請求項４の発明に係る遊技機用台間機は、請求項１、２又は３において、前記駆動機構は、各スパイラル部材の一端部に夫々同軸状に固定された第１、及び第２のギヤと、第１、及び第２のギヤ間に配置されて駆動力を伝達する第３、第４のギヤと、第１のギヤに噛合してモータからの駆動力を伝達する駆動ギヤとを備え、前記第３、及び第４のギヤは、前記第１、及び第２のギヤよりも奥側に退避して配置されていることを特徴とする。
各ギヤの径は、任意に設定可能である。
【０００７】
請求項５の発明に係る遊技機用台間機は、請求項１乃至４の何れか一項において、前記各スパイラル部材を構成するスパイラル羽根は、その軸方向両端部に夫々該軸方向と直交する平坦面を備えると共に、該平坦面間を傾斜面にて連設した構成を備えていることを特徴とする。
請求項６の発明に係る遊技機用台間機は、請求項１乃至５の何れか一項において、前記スパイラル羽根の螺旋巻き数Ｘは、１．５巻≦Ｘ＜２．５巻、であることを特徴とする。
請求項７の発明に係る遊技機用台間機は、請求項１乃至６の何れか一項において、前記軸方向両端部に位置する各平坦面のうちの前記終端部側の平坦面の中心角は、１８０度以上３４０度以内であることを特徴とする。
請求項８の発明に係る遊技機用台間機は、請求項１乃至７の何れか一項において、前記２つのスパイラル部材を同期して回転駆動するモータは、前記引き込み手段の駆動源として共用され、該モータの回転方向の違いに応じてスパイラル部材の駆動と引き込み手段の駆動を選択的に実現可能に構成されている駆動機構を備えていることを特徴とする。
モータの回転方向の違いに応じて、とは、モータの回転方向は同じであっても、クラッチによって出力の回転方向が異なる場合を含むものである。
請求項９の発明に係る紙幣取扱装置は、ヒンジ部によって縦方向へ回動自在に枠体に軸支され、前端面に縦長の紙幣挿入口を備えた紙幣識別部と、該紙幣識別部を通過してきた紙幣を縦姿勢のまま収容するスタッカと、を備えた紙幣取扱装置において、前記紙幣識別部は、リンク機構によって前記スタッカと連結されることにより、前記紙幣識別部の開閉動作に連動して該スタッカを前後方向へ進退させるように構成されていることを特徴とする。
【０００８】
請求項１０の発明に係る紙幣取扱装置は、請求項９において、ヒンジ部によって縦方向へ回動自在に枠体に軸支され、前端面に縦長の紙幣挿入口を備えた紙幣識別部と、該紙幣識別部を通過してきた紙幣を縦姿勢のまま収容するスタッカと、を備えた紙幣取扱装置において、前記スタッカは、前記紙幣識別部を通過してきた紙幣を前面開口から受け入れる収容空所を有したケーシングと、該ケーシングの前面開口内部に所定の上下間隔で配置され且つ回転自在な上下一対のスパイラル部材と、該２つのスパイラル部材を同期して回転駆動するモータ及びギヤ群を含んだ駆動機構と、紙幣を収容空所内の停止位置まで引き込む引き込み手段と、を備え、前記２つのスパイラル部材は、同ピッチであり、且つ互いに逆の螺旋方向へ伸びるスパイラル羽根を備えていることを特徴とする。
請求項１１の発明に係る紙幣取扱装置は、請求項９、又は１０において、前記各スパイラル部材を構成するスパイラル羽根は、その軸方向両端部に夫々該軸方向と直交する平坦面を備えると共に、該平坦面間を傾斜面にて連設した構成を備えていることを特徴とする。
請求項１２の発明に係る紙幣取扱装置は、請求項９、１０、又は１１において、前記スパイラル羽根の螺旋巻き数Ｘは、１．５巻≦Ｘ＜２．５巻、であることを特徴とする。
請求項１３の発明に係る紙幣取扱装置は、前記軸方向両端部に位置する各平坦面のうちの前記終端部側の平坦面の中心角は、１８０度以上３４０度以内であることを特徴とする。
請求項１４の発明に係る紙幣取扱装置は、請求項９乃至１３の何れか一項において、前記２つのスパイラル部材を同期して回転駆動するモータは、前記引き込み手段の駆動源として共用され、該モータの回転方向の違いに応じてスパイラル部材の駆動と引き込み手段の駆動を選択的に実現可能に構成されている駆動機構を備えていることを特徴とする。
【発明の効果】
【０００９】
請求項１の発明によれば、識別部を台間機本体の装着部に対して縦方向（支点を中心とした円弧軌道を描く方向）へ回動自在に軸支したタイプの台間機において、識別部とスタッカをリンクにより連結し、識別部の回動に連動してスタッカが前方にスライドするようにしたので、シングルアクションによって、スタッカの前方から（挿入口とほぼ同じ位置で）容易に紙幣束を取り出すことができる。
請求項２の発明によれば、必要最小限の少ない巻き数を有した一対のスパイラル部材によって、紙幣をスタッカ内に導入する時には紙幣をガイドする一方で、紙幣が紙幣収容部内に停止した後は、スパイラル部材を回転させることによって紙幣後部の幅方向両端を紙幣受板上に移載し、移載後は紙幣を押圧するようにしたので、スタッカ内の紙幣収容枚数を最大限に確保しながら癖の付いた変形紙幣であっても整列性よくスタックすることができる。
請求項３の発明は、請求項１と２の効果を併有している。
請求項４の発明によれば、装着部内から前方へ突出してきたスタッカの前面開口に露出した紙幣束を取り出す作業を行う際に、大径ギヤ（第１、第２のギヤ）間を連結する２つの小径ギヤ（第３、第４のギヤ）が奥寄りに退避しているので、指がギヤに触れて怪我をすることがなくなる。
請求項５の発明は、各スパイラル部材を構成するスパイラル羽根の軸方向両端部に夫々軸方向と直交する平坦面を備えるので、紙幣受板上に移載した紙幣上を確実に押さえ込み、紙幣のスパイラル羽根ピッチ間への戻りを確実に防止できる等の効果を奏する。
【００１０】
請求項６の発明は、スパイラル羽根の螺旋巻き数Ｘは、１．５巻≦Ｘ＜２．５巻の範囲に設定したので、軸方向長を拡大することなく、請求項５に記載の平坦面を確保することが可能となる。
請求項７の発明は、各平坦面のうちの終端部側の平坦面の中心角は１８０度以上、３４０度以内であり、他方の平坦面の中心角は１８０度以内としたので、紙幣受入れのためのスパイラル部材のホームポジションの回転角度誤差の許容範囲を広く確保でき、受入れ時の紙詰まり、紙幣の変形等が発生しなくなる。
請求項８の発明は、２つのスパイラル部材を同期して回転駆動するモータは、引き込み手段の駆動源として共用されるので、モータ数を低減して小型化、低コスト化を実現できる。
請求項９の発明では、識別部とスタッカをリンクにより連結し、識別部の回動に連動してスタッカが前方にスライドするようにしたので、シングルアクションによって、スタッカの前方から（挿入口とほぼ同じ位置で）容易に紙幣束を取り出すことができる。
請求項１０の発明は、必要最小限の少ない巻き数を有した一対のスパイラル部材によって、紙幣をスタッカ内に導入する時には紙幣をガイドする一方で、紙幣が紙幣収容部内に停止した後は、スパイラル部材を回転させることによって紙幣後部の幅方向両端を紙幣受板上に移載し、移載後は紙幣を押圧するようにしたので、スタッカ内の紙幣収容枚数を最大限に確保しながら癖の付いた変形紙幣であっても整列性よくスタックすることができる。
請求項１１の発明は、各スパイラル部材を構成するスパイラル羽根の軸方向両端部に夫々軸方向と直交する平坦面を備えるので、紙幣受板上に移載した紙幣上を確実に押さえ込み、紙幣のスパイラル羽根ピッチ間への戻りを確実に防止できる等の効果を奏する。
請求項１２、１３の発明は、終端部側の平坦面３７ｂの中心角度範囲を広く確保することが可能となり、広い周方向面積の平坦面３７ｂによって紙幣受板５１上に完全に移載した紙幣上面を十分な面圧によって確実に押え続けることができる。従って、スパイラル羽根の押え部と紙幣との間でスリップが起きて紙幣が再びスパイラル羽根のピッチ内に戻るといった不具合が解消されるという効果を奏する。
請求項１４の発明では、モータ個数を減らして小型化、低コスト化を実現できる。
【発明を実施するための最良の形態】
【００１１】
以下、本発明を添付図面に示した実施の形態により詳細に説明する。
図１は本発明の一実施形態に係る台間機の全体構成を示す斜視図、図２（ａ）及び（ｂ）は紙幣識別部とスタッカの収納状態（運用時）、及び紙幣抜き取り状態（開放時）を示す概略説明図、図３（ａ）及び（ｂ）は運用時における紙幣識別部とスタッカの正面図、及び内部構成図、図４は開放時における紙幣識別部とスタッカの内部構成図、図５は紙幣識別部とスタッカの構成を示す斜視図、図６（ａ）（ｂ）（ｃ）及び（ｄ）はスパイラル部材の構成を示す正面図、スパイラル部材の構成を示す斜視図、紙幣引き込み動作を示す斜視図、及び要部拡大斜視図、図７は紙幣の搬送手段を説明する略図である。
図１において、台間機１は、パチンコホール等の遊技場において、パチンコ等の遊技台間の４０ｍｍ程度の狭いスペース内に設置されるため薄型に構成されている。台間機１は、貸球の収納、払出機構等を備えた台間機本体２と、挿入口１２から挿入された紙幣の真贋、金種を識別する紙幣識別部１０と、紙幣識別部１０を通過してきた紙幣を積層状態で収容するスタッカ３０と、紙幣識別部１０及びスタッカ３０を前後位置関係で収容する空間である装着部３と、制御手段と、を備えている。
装着部３、紙幣識別部１０、及びスタッカ３０は、紙幣取扱装置Ｄを構成しており、装着部３、紙幣識別部１０、及びスタッカ３０は紙幣取扱装置Ｄの筐体、その他の機構部材を構成する枠体によって支持されている。
装着部３、紙幣識別部１０、及びスタッカ３０を制御する制御手段は、この紙幣取扱装置Ｄ側に搭載してもよい。
この装着部３は、台間機本体２の適所（隣接する遊技台の正面に着座する遊技者にとって操作し易い高さ位置）に配置される。装着部３は前面側が開口した空所であり、その奥部には独立したユニットとしてのスタッカ３０が前後方向へ進退自在に収容されており、スタッカ３０の収容部の直前位置（装着部前部）には独立したユニットとしての紙幣識別部１０が装着部下部（紙幣取扱装置Ｄの枠体下部）に設けたヒンジ部１１によって縦方向へ開閉（回動）自在に軸支され、更に紙幣識別部１０の前端面には縦長の紙幣挿入口１２を備えている。更に、紙幣識別部１０とスタッカ３０とはリンク１３（プルロッド）によって連結されており、紙幣識別部１０の回動による開閉動作に連動してスタッカ３０が装着部３内を前後に進退するように構成されている。
なお、ヒンジ部は装着部上部（紙幣取扱装置Ｄの枠体上部）に設けても良い。更にヒンジ部に紙幣識別部を開放する方向にバネ付勢する手段を設けても良く、特にヒンジ部を装着部上部に配置した場合は紙幣識別部が自重により下降するのを防止できるので、紙幣回収がし易くなる。
【００１２】
紙幣識別部１０は、図２（ａ）、図３に示すように運用時においては上方へ回動した閉止位置にあり、スタッカ３０を装着部３内の最奥部に押し付けた状態で装着部３の前部に位置していて、ロック手段１４によって台間機本体２に固定されている。一方、ロック手段１４を開錠して紙幣識別部１０を前方下方（破線矢印の方向）へ回動させた開放時には、図２（ｂ）、図４に示すように下方へ回動、退避するため、リンク（リンク機構）１３を介してスタッカ３０を前方へ引き出し、収容された紙幣束を取出し易くしている。
本発明では、紙幣回収時に紙幣識別部１０を把持して回動させる一回の操作によって紙幣回収状態への移行が実現可能であり、従来のように識別部を回動させてから、更にスタッカを把持して引き出す操作を行う必要がない。或いは、従来は、識別部を回動させてもスタッカを装着部内から引き出すことができず、装着部の奥部に手を差し入れて紙幣を取り出していたため、操作性が極めて悪かった。これに対して、本発明は、識別部の開放操作に連動してワンアクションにてスタッカ部が装着部の前部へ引き出されるので、操作性が向上する。
ロック手段１４は、紙幣識別部１０の前面に固定された板部材１４ａと、板部材１４ａの端部に設けられたロック部１４ｂと、ロック部１４ｂに設けた係止片１４ｂ’が係止するように装着部側に設けられた被係止部１４ｃと、を備えている。図示しない鍵を用いてロック部１４ｂを開閉することができる。係止片１４ｂ’を被係止部１４ｃに係止した状態でロック部１４ｂを施錠することにより、紙幣識別部１０及びスタッカ３０は図２（ａ）の状態に保持され、ロック部１４ｂを開錠して紙幣識別部１０を下方へ回動させることにより図２（ｂ）の状態に移行させることができる。ここで上述したようにヒンジ部にバネ付勢手段を配置しておくことにより、ロックを外すだけで格別の操作をすることなく、紙幣回収状態へと移行することができる。
紙幣識別部１０は、そのケーシング内に後述する識別センサ２０と、搬送手段（ベルト、及びローラ）１５を備え、台間機本体１に設けた図示しない制御手段、或いは紙幣取扱装置Ｄに設けた図示しない制御手段（スタッカプリント基板５４）は、挿入口１２から挿入された紙幣を搬送手段１５によって内部に引き込みながら紙幣移動経路に配置した識別センサ２０からの検知信号によって真贋、金種を判定し、リジェクトする必要がある場合には搬送手段１５を逆転させて挿入口１２から戻し、受け入れる場合にはスタッカ３０側へ搬送する。
【００１３】
ロッド状のリンク１３は前端を紙幣識別部１０の下部後部にピンにより軸支されると共に、後端をスタッカ３０の適所にピンによって軸支されているため、図３（ａ）（ｂ）に示した如き挙動が可能となる。符号１６は紙幣識別部１０とスタッカ３０とを電気的に接続するケーブルであり、１６ａはケーブルガイドであり、１７は搬送手段１５を駆動するためのモータである。また、紙幣識別部１０のケーシングの側面には図５に示すように矢印方向へ開閉可能な扉１８を設けて、図２（ｂ）のように紙幣識別部が開放した状態にて扉を開くとケーシング内部の点検等を行い得るように構成している。
スタッカ３０は、装着部３の上下に設けた図示しないガイドによって前後方向へ進退自在に支持されている。スタッカ３０は、紙幣識別部１０を通過してきた紙幣を前面開口３１から受け入れる収容空所３２を有したケーシング３３と、ケーシング３３の前面開口内部に所定の上下間隔で回転自在に配置された上下一対のスパイラル部材３５、３６と、２つのスパイラル部材を同期して回転駆動させるためのモータ４０及びギヤ群４１、４２、４３、４４、４５を含んだ駆動機構４６と、紙幣を収容空所３２内の停止位置まで引き込む引き込み手段としてのベルト５０と、を備えている。
駆動機構４６を構成する各ギヤ群４１〜４５は、専用のモータ４０によって回転駆動される。一方、ベルト５０は、ベルト駆動専用のモータ５５の出力軸５５ａと、ベルト５０を駆動するプーリ５６の軸５６ａとを、ギヤボックス５７内のウォームギヤによって連結することにより、モータ５５からの駆動力の伝達を受けて駆動される。
２つのスパイラル部材３５、３６は、水平方向へ伸びる軸部３５ａ、３６ａと、各軸部３５ａ、３６ａの回りに螺旋状に巻き付くように一体化され、同ピッチであり且つ互いに逆の螺旋方向へ伸びるスパイラル羽根３５ｂ、３６ｂを備えている。また、各軸部３５ａ、３６ａの先端部には大径ギヤ４１（第１のギヤ）、４２（第２のギヤ）の軸心部が固定されている。
【００１４】
スパイラル部材は、例えばポリアセタール等の低摩擦で、加工し易い樹脂材料から構成する。
各スパイラル羽根３５ｂ、３６ｂは、１．５重（１．５巻）に巻かれており、図６（ａ）（ｂ）に示すように紙幣を受け入れる初期状態では、スパイラル羽根３５ｂ、３６ｂは対応する同一ピッチ内（同一高さ位置）に紙幣Ｂの幅方向両端縁を挿通し得る回転角度にて停止している。即ち、図６（ａ）の実線で示す紙幣Ｂは各スパイラル羽根３５ｂ、３６ｂのピッチ内にガイドされつつベルト５０によって片面を支持されて紙幣受板５１上を奥へ送り込まれ、紙幣先端が奥壁５２に当接した状態でベルト５０は停止する。紙幣が停止した時点では、スパイラル羽根３５ｂ、３６ｂは図６（ａ）（ｂ）の初期状態にあって停止しているが、直ちにスパイラル部材３５、３６は、図５の矢印方向に回転を開始するため、ピッチ間に位置していた紙幣の幅方向両端部はピッチに沿って軸方向、即ち紙幣受板５１側へ移動し、各スパイラル羽根３５ｂ、３６ｂの終端部３５ｂ’、３６ｂ’を離脱して紙幣受板５１上に着座した後は、紙幣の外側面を各スパイラル羽根の終端部３５ｂ’、３６ｂ’の底面（端面、押え面）によって押圧される。
各スパイラル羽根のピッチ内に保持した紙幣を紙幣受板５１上に移載する際の各スパイラル部材の回転方向は、図５に示したように紙幣後端部を幅方向外側に引き延ばす方向となるように設定するのが好ましい。このように構成することにより幅方向内側に収縮する癖のある紙幣を幅方向外側に伸張させることができる。
次の紙幣を受け入れる場合には、各スパイラル部材３５、３６は、図６（ａ）（ｂ）の初期状態（ホームポジション）に復帰して待機する。
【００１５】
なお、各スパイラル部材３５、３６が図示したホームポジションにあることの検知は、例えば各スパイラル部材の軸部３５ａ、３６ａの一端（紙幣押え面と反対側）側に設けた検知板３９ａに設けた検知穴等をフォトインタラプタ３９ｂによって検知することにより行われる（図１１）。
本発明では、各スパイラル部材３５、３６を構成するスパイラル羽根３５ｂ、３６ｂの巻き数は、１．５重、即ち２巻き未満でよいため、その軸方向長を必要最小限に抑えることができ、スタッカ内における紙幣収容枚数を従来よりも増量することができる。
また、本発明では、スパイラル部材３５、３６は、図６（ａ）に示したホームポジションの時に、紙幣ガイドの役目を果たし、挿入紙幣が奥壁５２まで搬送されて停止した後で、図６（ｃ）（ｄ）に示すように各スパイラル部材が一回転して保持していた紙幣の両端縁をピッチの終端部から離脱させて先行スタック紙幣上に積層（移載）した後で、紙幣の後端を抑えるようにしたので、堆積した紙幣の浮き上がりがなくなり、既挿入紙幣と新規挿入紙幣との衝突が防止される。
【００１６】
次に、図７により、紙幣識別部とスタッカ内における紙幣搬送手段の概略構成を説明する。紙幣識別部１０は、バネ２２によって一方（紙幣厚さ方向）へ付勢されたガイド板２１と、ガイド板２１の片面との間で搬送経路を形成するベルト１５ａと、ベルト１５ａと対向配置されたローラ１５ｂとを有し、モータ１７によってベルト１５ａを正逆駆動することにより、挿入口１２から挿入された紙幣をスタッカ３０方向へ搬送したり、挿入口１２に逆送することができる。
スタッカ３０側には、バネ５３によって一方向（ベルト５０側）へ付勢された紙幣受板５１と、紙幣受板５１の紙幣積載面側に配置されて紙幣を導入するベルト５０と、スパイラル部材３５、３６等を備えている。スパイラル部材３５、３６は、前述のように、紙幣導入時には紙幣識別部１０のガイド板２１上を搬送されてきた紙幣をスパイラル羽根のピッチ内に受け入れてガイドできるようにホームポジション（角度）に停止しており、送り込まれてきた紙幣はベルト５０によって紙幣受板５１上を更に奥へ向けて搬送され、奥壁（スタッカ突き当て部）５２に紙幣先端が当接するまで搬送してベルト５０の駆動を停止する。ベルト５０が停止すると、スパイラル部材３５、３６が夫々図５の矢印方向へ所定角度だけ回転してピッチ内に保持した紙幣後端部を紙幣受板５１の積載面に着座させ、且つ紙幣の外側面をスパイラル羽根の終端部３５ｂ’、３６ｂ’近傍の下面にて押さえ付ける。紙幣受板５１もバネ５３によってベルトへ向けて付勢されているため、紙幣受板５１上に移載された紙幣（束）は、紙幣受板５１と各スパイラル羽根の終端部下面によって確実に保持される。
なお、図３、図４において、符号５４は、スタッカのケーシング３３内適所（この例ではケーシング下部）に収容されたスタッカプリント基板であり、スタッカを構成する各駆動要素を制御するための回路が搭載されている。
また、スタッカケーシング３３の内側に位置する紙幣カバー６０の前部開口端縁には紙幣束を取出し易くするための切欠き６１を形成する。また、ケーシング３３の側面には開口３３ａと、開口３３ａを開閉するための蓋３３ｂを配置する。蓋３３ｂを開放することにより、内部に露出する搬送手段、収容部に付着したゴミの除去、ジャム紙幣の除去、ベルトの清掃を容易化している。
【００１７】
次に、本発明の他の特徴は、駆動機構４６を構成するギヤ４１〜４５の配置にある。即ち、駆動機構４６は、各スパイラル部材３５、３６の軸方向一端部に夫々同軸状に固定された大径ギヤ４１（第１のギヤ）、４２（第２のギヤ）と、両大径ギヤ４１、４２間に配置されて大径ギヤ間に位置して駆動力を伝達する２つの小径ギヤ４３（第３のギヤ）、４４（第４のギヤ）と、一方の大径ギヤ４１に噛合してモータ４０からの駆動力を伝達する駆動ギヤ４５とを備えており、２つの小径ギヤ４３、４４は、２つの大径ギヤ４１、４２よりも奥側に退避して配置されている。即ち、各スパイラル部材３５、３６は、互いに異なる螺旋方向となるように構成されており、同期して互いに逆方向に回転駆動される。
なお、各ギヤ４１〜４４の径寸法、大小は、周辺部品とのレイアウトの関係で任意に設定可能であり、第１及び第２のギヤが大径で、第３、第４のギヤが小径である必要は必ずしも無い。
２つの小径ギヤ４３、４４によって、大径ギヤ４１、４２間を連結している理由は、一つには回転方向を調整しつつ動力を伝達するためであるが、単にそれだけではなく、小径ギヤ４３、４４の位置を紙幣カバー６０の前部に設けた紙幣取り出し用の切欠き６１よりも奥側に配置することによって、切欠き６１から露出した紙幣束を指先によって取り出す際の障害とならないようにするためである。つまり、大径ギヤ４１、４２間を同様に大径の一つのギヤで連結したとすれば、第３の大径ギヤによって切欠き６１が塞がれてしまうため、２つの小径ギヤ４３、４４を用いることにより、切欠き部６１の奥寄りに配置することを可能ならしめたものである。
次に、図８はスタッカケーシング内におけるギヤ群の取付構造例を示す要部説明図である。即ち、スタッカケーシング３３内には、紙幣収容部の一部又は前部を包囲するように紙幣カバー６０が配置されているが、この実施形態では紙幣カバー６０の内側（紙幣収容部側）に大径ギヤ４１、４２を配置する一方で、２つの小径ギヤ４３、４４については紙幣カバー６０の外側の凹所６０ａ内に配置している。更に、この凹所６０ａの前面側に壁６０ｂを設けて切欠き６１から紙幣を取り出す際に指が小径ギヤ４３、４４と接触する危険を回避している。凹所６０ａ内の小径ギヤ４３、４４と、紙幣カバーの内側に位置する大径ギヤ４１、４２との噛合は、凹所６０ａ内に設けた開口６０ａ’を介して行われる。
【００１８】
次に、上記実施形態の各スパイラル部材３５、３６の軸方向両端面は、図６（ａ）に示すように湾曲しつつ傾斜した面（非平坦面であり、且つ紙幣面と非平行な面）となっているため、紙幣受板５１上に積載された紙幣上面を各スパイラル部材３５、３６の終端部によって押さえる場合に、広い範囲に亘る面接触によって密着して押さえることができず、スパイラル部材終端部のエッジ（外周縁）で線状に押さえる状態か、或いは該エッジを中心とした狭い範囲の面接触にて押さえる状態になり易い。このため、押える面積が不十分となり、押さえる力が十分に紙幣面に加わらずにスリップが発生し易い状態となる。このため、各スパイラル部材のピッチ終端部から紙幣受板５１側へ離脱した紙幣が再びスパイラル部材間のピッチ内に戻ってしまう不具合が発生し、後続の紙幣との衝突が起きやすくなる。このような不具合は、各スパイラル部材の終端に位置する紙幣押え部が湾曲しつつ傾斜した非平坦面であることと、スパイラル部材全体の巻き数が過小（１．５巻未満）であることに原因がある。
また、上記実施形態のスパイラル部材３５、３６にあっては、軸方向両端面が軸部と直交しておらず傾斜しているため、導入される紙幣先端を受け入れるための羽根間のピッチ幅が狭くなるという問題も有している（後述）。
図９（ａ）乃至（ｅ）は上記の如き不具合を一挙に解決することができる本発明の他の実施形態に係るスパイラル部材の構成説明図であり、（ａ）は斜視図、（ｂ）は平面図、（ｃ）は左側面図、（ｄ）は（ｃ）のＡ視図、（ｅ）は底面図である。また、図１０（ａ）及び（ｂ）は各平坦面の説明図である。
本実施形態における各スパイラル部材３５、３６を構成するスパイラル羽根３５ｂ、３６ｂは、その軸方向両端部に夫々該軸方向と直交する平坦面３７ａ、３７ｂを比較的広い角度範囲に亘って備えると共に、平坦面３７ａ、３７ｂ間を螺旋状の傾斜面３８にて連設した構成を備えている。各平坦面３７ａ、３７ｂは、紙幣受板５１上面、或いは該紙幣受板５１上の紙幣上面と平行な面となっている。
なお、上記実施形態のスパイラル部材と本実施形態のスパイラル部材の軸方向寸法（軸方向全長）は同等である。軸方向寸法を同等に設定しつつ、スパイラル羽根の巻き数、軸方向両端部の形状を変更するといった構成の改良によって、上記の不具合を一挙に解決することを可能としている。
【００１９】
本実施形態では、各スパイラル羽根３５ｂ、３６ｂの螺旋巻き数Ｘを、１．５巻≦Ｘ＜２．５巻の範囲（本例では、１．８３巻）に設定することにより、各平坦面３７ａ、３７ｂの角度範囲を十分に広く確保している。例えば、本実施形態では、紙幣受板５１上に載置された紙幣（束）の上面を押さえ込む終端部側の平坦面３７ｂの中心角は１８０度以上３４０度以内（本例では、３００度）であり、他方の平坦面３７ａの中心角は特に限定するものではない。螺旋巻き数Ｘを１．５巻以上の所定の範囲に設定することにより、このような広い角度範囲に亘って各平坦面を確保することが可能となる。仮に、螺旋巻き数Ｘを１．５巻き未満に設定した場合には、紙幣押え用の平坦面３７ｂを十分に確保することが困難となる。実際には、紙幣が通過できる隙間を平坦面３７ａ、３７ｂ間に確保できればよく、平坦面３７ｂの中心角度は平坦面間の寸法によって左右されることとなる。
このように本実施形態では、各スパイラル羽根３５ｂ、３６ｂの螺旋巻き数Ｘを１．５巻≦Ｘ＜２．５巻の範囲に設定したので、終端部側の平坦面３７ｂの中心角度範囲を広く確保することが可能となり、広い周方向面積の平坦面３７ｂによって紙幣受板５１上に完全に移載した紙幣上面を十分な面圧によって確実に押え続けることができる。従って、スパイラル羽根の押え部と紙幣との間でスリップが起きて紙幣が再びスパイラル羽根のピッチ内に戻るといった不具合が解消される。
また、押え部としての平坦面３７ｂとは反対側の端部をも平坦面３７ａとしたため、平坦面３７ａの端縁による紙幣に対する線状の片当たりが解消されて面押えとなるため、紙幣に対する押え力が分散されて紙幣の変形を防止することができるばかりでなく、スパイラル羽根のピッチ間に位置する紙幣が紙幣端縁のカール癖、折れ癖等によって上方に捲れ上がろうとしても平坦面３７ａがこれを押さえ込み矯正することができ、スパイラル羽根のピッチ内への紙幣の残留が防止される。
【００２０】
次に、スパイラル羽根の終端部を面積の広い平坦面３７ｂとする他のメリットは、図９（ａ）（ｄ）に夫々示す待ち受け状態（ホームポジション）において、スパイラル部材の停止位置に多少の周方向ずれが発生したとしても、平坦面３７ｂの周方向角度が１８０度を超える広い範囲に亘っているため、紙幣受入れのためのピッチ（羽根間の軸方向間隔）を常に十分に確保することができ、矢印方向から進入してくる紙幣先端縁が傾斜面３８に当たって奥方へ進行できないという事態が発生しなくなる、という点にある。
これを換言すれば、図６及び図９の実施形態に係る各スパイラル部材は軸方向寸法が一定に制限されているため、紙幣がスパイラル羽根間に進入可能な軸方向スペースは、スパイラル部材の軸方向寸法に対する制限によって極限されているが、本実施形態のスパイラル羽根は、図６等に示した実施形態のスパイラル羽根とは異なり、両端が平坦面３７ａ、３７ｂとなっているため、上記進入スペースを広く確保できる。
図１０（ａ）（ｂ）はこのことを説明するための略図であり、両スパイラル部材は何れも軸方向長が一定である。図１０（ａ）に示すようにスパイラル部材３５ｂ、３６ｂの軸方向両端部に平坦面３７ａ、３７ｂを備えたスパイラル部材３５、３６にあっては、矢印方向から進入する紙幣Ｂを受け入れる進入スペースの幅Ｗ１は平坦面間の間隔Ｈとほぼ同等程度に広く確保できる。これに対して図１０（ｂ）に示したようにスパイラル部材の両端部が傾斜しているタイプにあっては、紙幣の進入スペースの幅Ｗ２は狭くなっている。
このように図９の実施形態によれば、進入スペース幅を最大限に拡大することが可能となり、挿入紙幣先端に曲がり等の変形があったとしても、十分な余裕をもって安定してスパイラルピッチ間に導くことができる。これに対して、図１０（ｂ）のスパイラル部材においては進入スペースが狭いため、挿入紙幣先端の曲がり変形に対する進入許容範囲が狭くなる。
【００２１】
次に、図９の実施形態に係るスパイラル部材にあっては、ホームポジションにて紙幣を待機する際の進入許容角度範囲を広く確保できるため、厳密なホームポジションの検出、及び位置合わせをしなくても済むという利点がある。即ち、例えばスパイラル部材３５、３６が図９（ａ）（ｂ）に示すホームポジションに停止した状態で紙幣の受け入れを待機する際に、ホームポジションの検知は軸部３５ａ、３６ａの一端に固定した図示しない円板状の検知板３９ａに設けた切欠きをフォトインタラプタ３９ｂによって検知することによって行うが（図１１参照）、このホームポジション検出手段による検出感度によっては、ホームポジションにおける各スパイラル部材の停止角度にバラツキが生じる。図６の実施形態に係るスパイラル部材にあっては、図１０（ｂ）について説明した如く、スパイラル羽根の紙幣進入スペース幅Ｗ２が狭いため、正規のホームポジションと実際の停止角度との間の角度差が大きくなると、進入してきた紙幣の先端縁がスパイラル羽根の傾斜部に干渉して進入不能に陥ることとなる。
これに対して、図９の実施形態にあっては、進入スペース幅Ｗ１が広くなるため、進入を許容する角度差の範囲が大きくなり、図９（ａ）に示したスパイラル部材が正規のホームポジションから±９０度以内の位置ずれを起こしたとしても、傾斜部３８により干渉されることなく、紙幣はスムーズに進入スペース内を通過することができる。
【００２２】
次に、図３、図４、図５に示した実施形態の駆動機構４６では、スパイラル部材３５、３６に夫々一体化された大径ギヤ４１、４２（第１のギヤ４１、第２のギヤ４２）と、各大径ギヤ４１、４２と噛合した小径ギヤ４３、４４（第３のギヤ４３、第４のギヤ）は専用のモータ４０により回転駆動する一方、紙幣を収容空所３２内の停止位置まで引き込む引き込み手段としてのベルト５０については、モータ５、ギヤボックス５７、プーリ５６等から成る駆動機構によって別個に駆動されていた。しかし、このように近接して設けた２つの駆動機構を夫々別個の駆動機構によって駆動することは、設置スペースの大型化、及び部品点数の増大という不具合をもたらす。
図１１はこのような不具合を解決するための共用駆動機構に係る実施形態を示している。
即ち、本実施形態では、２つのスパイラル部材３５、３６を同期して正逆回転駆動する共用モータ７０が、引き込み手段としてのベルト５０の駆動源としても共用されている点が特徴的である。そして、共用モータが正回転する場合にはスパイラル部材３５、３６が紙幣後端を受板５１上にガイドして押さえ込む方向へ回転する一方、ベルト５０への駆動力伝達は遮断される。つまり、共用モータの逆転時にはスパイラル部材３５、３６は逆転しない。更に共用モータ７０が逆転する場合には逆転駆動力はベルト５０側へのみ伝達され、スパイラル部材３５、３６側への駆動力伝達は遮断される。つまり、共用モータの正転時には正転駆動力はベルト５０に対しては伝達されない構成となっている。
即ち、この実施形態に係る駆動機構では、スパイラル部材３５、３６に夫々一体化された大径ギヤ４１、４２と、各大径ギヤ４１、４２間に配置された小径ギヤ４３、４４と、２つの伝達ギヤ４５ａ、４５ｂとが夫々図示の順序で噛合することによって、正逆転自在な共用モータ７０の出力軸７０ａの先端に設けた出力ギヤ７０ｂにより回転駆動される。伝達ギヤ４５ａと出力ギヤ７０ｂは、ウォームギヤ、或いは傘歯車から構成されており、例えば伝達ギヤ４５ａの軸部にワンウェイクラッチを配置することによって矢印で示した一方向にのみ共用モータからの正回転駆動力が伝達されるように構成されている。この一方向とは、スパイラル部材３５、３６を矢印方向へ回転させてそのスパイラル羽根のピッチ間で保持した紙幣後端部を受板５１上に移載させるための回転方向と一致している。従って、共用モータが逆転する場合には各ギヤ４５ａ、４５ｂ、４１、４３、４４、４２に対する駆動力の伝達は行われない。
一方、ベルト５０は前後２つのプーリ５６によって張設されているが、後方のプーリ５６の軸５６ａの一端には駆動力伝達用の従動プーリ５６ｂが固定され、共用モータの出力軸７０ａと連結された駆動プーリ５６ｃとの間を図示しない伝達ベルトによって連結されている。駆動プーリ５６ｃの軸と共用モータ７０の出力軸７０ａの中間部には夫々互いに噛合するウォームギヤ７０ｃが配置されているため、出力軸７０ａからの駆動力は、駆動プーリ５６ｃ、伝達ベルト、従動プーリ５６ｂ、軸５６ａ、プーリ５６へと伝達されて、ベルト５０を引き込み方向へ駆動する。なお、駆動プーリ５６ｃの軸部にもワンウェイクラッチを配置してベルト５０を引き込み方向へのみ回転駆動させるように構成する。ベルト５０を引き込み方向へ駆動させる際の共用モータ７０の回転方向を、スパイラル部材３５、３６を上記一方向へ回転駆動させる方向とは逆に設定するとともに、各駆動力伝達経路途中に上記各ワンウェイクラッチを配置することにより、択一的な駆動力伝達構造を実現できる。
【００２３】
なお、共用モータ７０を一方向に回転駆動させるとともに図示しないクラッチによって回転方向を切り換えてもよいが、クラッチを配置する分だけ構成が複雑、大型化する。
このように前記該２つのスパイラル部材を同期して回転駆動するモータは、前記引き込み手段の駆動源として共用され、スパイラル部材の駆動と引き込み手段の駆動を選択的に実現可能に構成されている駆動機構を備えているので、モータ個数を減らして小型化、低コスト化を実現できる。
また、本発明の紙幣取扱装置をパチンコ、パチスロ等を設置した遊技場における遊技機用台間機に適用することにより、優れた効果を得ることができる。
【図面の簡単な説明】
【００２４】
【図１】本発明の一実施形態に係る台間機の全体構成を示す斜視図。
【図２】（ａ）及び（ｂ）は紙幣識別部とスタッカの収納状態（運用時）、及び紙幣抜き取り状態（開放時）を示す概略説明図。
【図３】（ａ）及び（ｂ）は運用時における紙幣識別部とスタッカの正面図、及び内部構成図。
【図４】開放時における紙幣識別部とスタッカの内部構成図。
【図５】紙幣識別部とスタッカの構成を説明するための一部透視斜視図。
【図６】（ａ）（ｂ）（ｃ）及び（ｄ）はスパイラル部材の構成を示す正面図、スパイラル部材の構成を示す斜視図、紙幣引き込み動作を示す斜視図、及び要部拡大斜視図。
【図７】紙幣の搬送手段を説明する略図。
【図８】小径ギヤの支持部の説明図。
【図９】本発明の他の実施形態に係るスパイラル部材の構成説明図であり、（ａ）は斜視図、（ｂ）は平面図、（ｃ）は左側面図、（ｄ）は（ｃ）のＡ視図、（ｅ）は底面図。
【図１０】（ａ）及び（ｂ）は各平坦面の説明図。
【図１１】共用駆動機構に係る実施形態を示す説明図。
【符号の説明】
【００２５】
１  台間機、２  台間機本体、Ｄ  紙幣取扱装置、３  装着部、１０  紙幣識別部、１１  ヒンジ、１２  挿入口、１３  リンク（リンク機構）、１４  ロック手段、１５  搬送手段、２０  識別センサ、３０  スタッカ、３１  前面開口、３２  収容空所、３３  ケーシング、３５、３６  スパイラル部材、３５ａ、３６ａ  軸部、３５ｂ、３６ｂ  スパイラル羽根、３５ｂ’、３６ｂ’  終端部、３７ａ、３７ｂ  平坦面、４０  モータ、４１  第１のギヤ、４２  第２のギヤ、４３  第３のギヤ、４４  第４のギヤ、４５  ギヤ、４６  駆動機構、５０  ベルト、５１  紙幣受板、５３  バネ、５４  プリント基板（制御手段）、６０  紙幣カバー、６１  切欠き、７０  共用モータ。
【図１】
2006024182.tif 000003
【図２】
2006024182.tif 000004
【図３】
2006024182.tif 000005
【図４】
2006024182.tif 000006
【図５】
2006024182.tif 000007
【図６】
2006024182.tif 000008
【図７】
2006024182.tif 000009
【図８】
2006024182.tif 000010
【図９】
2006024182.tif 000011
【図１０】
2006024182.tif 000012
【図１１】
2006024182.tif 000013